(57)【要約】【課題】ユーザがコンテンツリストにどのようなコンテンツが登録されているのかを画面表示から一見して直感的に把握できるようにすることが可能な「コンテンツリスト選択支援装置およびコンテンツリスト選択支援方法」を提供する。【解決手段】プレイリスト選択画面において、プレイリストに登録されている楽曲の全体数に対して占めるジャンル毎の楽曲数の比率をジャンル比率として算出し、当該算出したジャンル比率を横棒グラフ４００〜４４０として表示することにより、その表示を見たユーザが、各ジャンルの楽曲がそれぞれプレイリスト全体の中でどの程度の割合を占めているかを視覚的に捉えることができるようにして、各プレイリストにどのような楽曲が登録されているのかを画面表示から一見して直感的に把握することができるようにする。【選択図】図３
2010282711.tif 000002
【特許請求の範囲】
【請求項１】
コンテンツリストの名称であるコンテンツリスト名と、当該コンテンツリストに登録されているコンテンツの名称であるコンテンツ名と、当該コンテンツの属性であるコンテンツ属性とを関連付けたコンテンツリスト情報に基づいて、前記コンテンツ属性毎のコンテンツ数を算出するコンテンツ数算出部と、
前記コンテンツ数算出部の算出結果に基づいて、前記コンテンツリストに登録されているコンテンツの全体数に対して占める前記コンテンツ属性毎のコンテンツ数の比率をコンテンツ属性比率として算出するコンテンツ属性比率算出部と、
前記コンテンツ属性比率算出部により算出された前記コンテンツ属性比率をグラフ表示するように制御する表示制御部とを備えたことを特徴とするコンテンツリスト選択支援装置。
【請求項２】
請求項１に記載のコンテンツリスト選択支援装置において、
複数存在するコンテンツ属性の中から何れかのコンテンツ属性の選択を受け付けるコンテンツ属性選択受付部を更に備え、
前記表示制御部は、前記コンテンツ属性比率算出部により算出された前記コンテンツ属性比率に基づいて、前記コンテンツ属性選択受付部により選択が受け付けられた前記コンテンツ属性のコンテンツ数の比率が高い順番で、複数存在するコンテンツリストの各々に対応する前記コンテンツ属性比率をグラフ表示するように制御することを特徴とするコンテンツリスト選択支援装置。
【請求項３】
請求項１に記載のコンテンツリスト選択支援装置において、
複数存在するコンテンツリストの中から何れかのコンテンツリストの何れかのコンテンツ属性の選択を受け付けるコンテンツ属性選択受付部と、
前記コンテンツ属性選択受付部により選択が受け付けられた前記コンテンツ属性のコンテンツの各々の先頭部分を順番に再生するスキャン再生を行うように制御するスキャン再生制御部とを更に備えたことを特徴とするコンテンツリスト選択支援装置。
【請求項４】
コンテンツリストの名称であるコンテンツリスト名と、当該コンテンツリストに登録されているコンテンツの名称であるコンテンツ名と、当該コンテンツの属性であるコンテンツ属性とを関連付けたコンテンツリスト情報に基づいて、前記コンテンツ属性毎のコンテンツ数を算出する第１のステップと、
前記第１のステップにおける算出結果に基づいて、前記コンテンツリストに登録されているコンテンツの全体数に対して占める前記コンテンツ属性毎のコンテンツ数の比率をコンテンツ属性比率として算出する第２のステップと、
前記第２のステップにより算出された前記コンテンツ属性比率をグラフ表示するように制御する第３のステップとを有することを特徴とするコンテンツリスト選択支援方法。
【発明の詳細な説明】
【技術分野】
【０００１】
本発明は、コンテンツリスト選択支援装置およびコンテンツリスト選択支援方法に関し、特に、ユーザによるコンテンツリストの選択を支援するコンテンツリスト選択支援装置およびコンテンツリスト選択支援方法に関するものである。
【背景技術】
【０００２】
近年、音楽や動画などのコンテンツを再生するコンテンツ再生装置では、大容量の記憶媒体に膨大な数のコンテンツを格納し、所望のコンテンツを選んで再生することができるようになっている。また、複数のコンテンツを再生順にリスト化したプレイリストの内容に従ってコンテンツを再生することもできる。
【０００３】
図６は、コンテンツ再生装置に設定された複数のプレイリストの中から、ユーザが所望のプレイリストを選択するためのプレイリスト選択画面の例を示している。プレイリスト選択画面はタッチパネルとして構成されている。図６の例では、プレイリスト１、プレイリスト２、プレイリスト３の３つのプレイリスト名が表示されている。プレイリスト選択画面において、ユーザが所望のプレイリスト名をタッチしてプレイリストを選択すると、コンテンツ再生装置は、選択されたプレイリストの内容に従ってコンテンツを再生する。
【０００４】
なお、コンテンツ（音楽データ）を再生する再生装置に関する技術として、ディスク内に記録されている音楽データのジャンル名と各ジャンルに属する音楽データの数とを画面表示する技術が開示されている（例えば、特許文献１を参照）。
【先行技術文献】
【特許文献】
【０００５】
【特許文献１】特開２００２−１００１６１号公報
【発明の概要】
【発明が解決しようとする課題】
【０００６】
ところで、図６に示すようなプレイリスト選択画面では、各プレイリストのプレイリスト名が表示されるだけである。プレイリスト名は、必ずしも登録されているコンテンツの内容をダイレクトに表す名称であるとは限らない。また、似たような名称のプレイリストが複数存在すると、プレイリスト名だけでそれらを識別するのが難しくなる。そのため、ユーザは、プレイリスト名を見ただけでは各プレイリストにどのようなコンテンツが登録されているのか直感的に把握することが困難である。
【０００７】
この問題に対して、コンテンツ再生装置が各プレイリストの内容を確認する機能を有している場合、その確認機能により各プレイリストの内容を１つずつ確認するという案もあるが、プレイリストの内容を確認するのに煩雑な操作が必要であり、多くの時間がかかってしまう。その結果、ユーザは、所望のプレイリストを容易に選択することができないという問題があった。
【０００８】
なお、特許文献１に記載の技術を応用すれば、プレイリストに登録されているコンテンツのジャンル名とジャンル毎のコンテンツ数とを画面表示することができる。ユーザはこの表示を見ることにより、プレイリストにどのようなジャンルのコンテンツがどれくらい登録されているのか把握することができる。しかしながら、当該技術では、ユーザは画面表示されている各ジャンルに属するコンテンツの数を１つずつ確認していく必要がある。そのため、プレイリストにどのようなコンテンツが登録されているのかを一見して把握することは困難である。
【０００９】
上記したような問題は、ユーザが、コンピュータ内の所望のフォルダを選択して、当該フォルダに登録されているコンテンツとしてのファイルを実行させる場合にも生ずる。つまり、複数のフォルダをリスト化したフォルダリストからユーザが所望のフォルダを選択するためのフォルダ選択画面では、各フォルダのフォルダ名が表示されるだけである。そのため、ユーザは、フォルダ名を見ただけでは各フォルダにどのようなファイルが登録されているのか直感的に把握することが困難である。その結果、ユーザは、所望のフォルダを容易に選択することができない。なお、本明細書においては、プレイリストのみならず、フォルダリストをコンテンツリストと称することとする。
【００１０】
本発明は、このような問題を解決するために成されたものであり、ユーザがコンテンツリストにどのようなコンテンツが登録されているのかを画面表示から一見して直感的に把握できるようにすることを目的とする。
【課題を解決するための手段】
【００１１】
上記した課題を解決するために、本発明では、コンテンツリストに登録されているコンテンツの全体数に対して占めるコンテンツ属性毎のコンテンツ数の比率をコンテンツ属性比率として算出し、当該算出したコンテンツ属性比率をグラフ表示するようにしている。
【発明の効果】
【００１２】
上記のように構成した本発明によれば、グラフ表示されたコンテンツ属性比率を見たユーザは、各コンテンツ属性のコンテンツがそれぞれコンテンツリスト全体の中でどの程度の割合を占めているかを視覚的に捉えることができ、コンテンツリストにどのようなコンテンツが登録されているのかを画面表示から一見して直感的に把握することができる。
【図面の簡単な説明】
【００１３】
【図１】本実施形態によるプレイリスト選択支援装置を備えた楽曲再生システムの全体構成例を示すブロック図である。
【図２】本実施形態による楽曲再生システムにて使用される各種情報の構成例を示す図である。
【図３】本実施形態によるプレイリスト選択画面の例を示す図である。
【図４】本実施形態による楽曲再生システムの動作例を示すフローチャートである。
【図５】本実施形態による楽曲再生システムの全体構成の変形例を示すブロック図である。
【図６】従来のプレイリスト選択画面の例を示す図である。
【発明を実施するための形態】
【００１４】
以下、本発明の実施形態（以下、「本実施形態」という）を図面に基づいて説明する。図１は、本実施形態によるプレイリスト選択支援装置１００（本発明のコンテンツリスト選択支援装置に対応）を備えた楽曲再生システム１２０の構成例を示すブロック図である。プレイリスト選択支援装置１００は、ユーザが、複数の楽曲（本発明のコンテンツに対応）を再生順にリスト化したプレイリスト（本発明のコンテンツリストに対応）の選択を容易にできるように支援するものである。図１に示すように、楽曲再生システム１２０は、プレイリスト選択支援装置１００の他に、操作入力部１４０、ディスプレイ１６０、スピーカ１８０、楽曲情報記憶部２００、プレイリスト情報記憶部２２０および再生制御部２４０を備えて構成されている。
【００１５】
操作入力部１４０は、楽曲再生システム１２０に対するユーザの指示を入力する。本実施形態では、操作入力部１４０は、例えば、タッチパネルやリモコン等の入力装置を含んで構成される。ディスプレイ１６０は、プレイリスト選択支援装置１００により生成されたプレイリスト選択画面を表示する。スピーカ１８０は、再生制御部２４０により再生された音楽データに基づく音声を外部に出力する。なお、再生制御部２４０の機能については後述する。
【００１６】
楽曲情報記憶部２００は、楽曲の各々に関する楽曲情報を記憶する。図２（ａ）は、本実施形態の楽曲情報の詳細を示す図である。図２（ａ）に示すように、楽曲情報は、楽曲の名称を示す楽曲名および当該楽曲の音楽データを情報として含む。
【００１７】
プレイリスト情報記憶部２２０は、複数の楽曲を再生順にリスト化したプレイリストに関するプレイリスト情報を記憶する。図２（ｂ）は、本実施形態のプレイリスト情報の詳細を示す図である。図２（ｂ）に示すように、プレイリスト情報は、プレイリストの名称を示すプレイリスト名（本発明のコンテンツリスト名に対応）、当該プレイリストに登録されている楽曲の名称を示す楽曲名（本発明のコンテンツ名に対応）、当該楽曲のジャンル（本発明のコンテンツ属性に対応）および、当該楽曲の再生順番を情報として含む。本実施形態では、項目情報「ジャンル」の特定値には、「ＲＯＣＫ（ロック）」、「ＰＯＰ（ポップ）」、「ＯＬＤＩＥＳ（オールディーズ）」および「ＯＴＨＥＲＳ（その他のジャンル）」の何れかが設定されている。
【００１８】
次に、プレイリスト選択支援装置１００の内部構成について説明する。図１に示すように、プレイリスト選択支援装置１００は、操作受付部２６０、楽曲数算出部２８０、ジャンル比率算出部３００、プレイリスト選択画面生成部３２０、プレイリスト選択画面表示制御部３４０およびスキャン再生制御部３６０を備えて構成されている。なお、操作受付部２６０は、本発明のコンテンツ属性選択受付部に対応する。また、楽曲数算出部２８０は、本発明のコンテンツ数算出部に対応する。また、ジャンル比率算出部３００は、本発明のコンテンツ属性比率算出部に対応する。また、プレイリスト選択画面生成部３２０およびプレイリスト選択画面表示制御部３４０は、本発明の表示制御部に相当する。
【００１９】
操作受付部２６０は、操作入力部１４０を介して、プレイリスト情報記憶部２２０に設定された複数のプレイリストの中から、ユーザが所望のプレイリストを選択する際に必要な入力操作を受け付ける。例えば、操作受付部２６０は、操作入力部１４０を介して、所望のプレイリストを選択するプレイリスト選択機能の実行を指示する操作（以下、プレイリスト選択機能の実行指示操作という）を受け付ける。この場合、操作受付部２６０は、プレイリスト選択機能の実行指示操作を受け付けた旨を楽曲数算出部２８０に通知する。
【００２０】
また、操作受付部２６０は、操作入力部１４０を介して、プレイリスト選択画面表示制御部３４０の制御によりディスプレイ１６０に表示されたプレイリスト選択画面に含まれている各プレイリストの中から、再生対象のプレイリストとして何れかのプレイリストを選択する操作を受け付ける。この場合、操作受付部２６０は、受け付けた操作に応じて選択された再生対象のプレイリストを示す対象プレイリスト情報を再生制御部２４０に出力する。
【００２１】
また、操作受付部２６０は、操作入力部１４０を介して、プレイリスト選択画面表示制御部３４０の制御によりディスプレイ１６０に表示されたプレイリスト選択画面に含まれている各ジャンルの中から何れかのジャンルを選択する操作を受け付ける。この場合、操作受付部２６０は、受け付けた操作に応じて選択されたジャンルを示す対象ジャンル情報をプレイリスト選択画面生成部３２０に出力する。
【００２２】
また、操作受付部２６０は、操作入力部１４０を介して、プレイリスト選択画面表示制御部３４０の制御によりディスプレイ１６０に表示されたプレイリスト選択画面に含まれている各プレイリストの中から何れかのプレイリストの何れかのジャンルを選択する操作を受け付ける。この場合、操作受付部２６０は、受け付けた操作に応じて選択されたプレイリストおよびジャンルを示す対象プレイリスト・ジャンル情報をスキャン再生制御部３６０に出力する。
【００２３】
楽曲数算出部２８０は、プレイリスト選択機能の実行指示操作を受け付けた旨の通知を操作受付部２６０から受けた場合、プレイリスト情報記憶部２２０に記憶されているプレイリスト情報に基づいて、項目情報「プレイリスト名」および「ジャンル」を検索キーにして検索された項目の数を求めることにより、ジャンル毎の楽曲数をプレイリストの各々について算出する。そして、楽曲数算出部２８０は、プレイリストの各々について算出したジャンル毎の楽曲数を示す楽曲数情報をジャンル比率算出部３００に出力する。なお、楽曲数情報は、図２（ｃ）に示すように、プレイリストの名称を示すプレイリスト名、当該プレイリストに登録されている楽曲のジャンルおよび当該ジャンルの楽曲数を情報として含む。
【００２４】
ジャンル比率算出部３００は、楽曲数算出部２８０から出力された楽曲数情報に基づいて、プレイリストの各々について、プレイリストに登録されている楽曲の全体数（すなわち、全ジャンルの楽曲数）に対して占めるジャンル毎の楽曲数の比率をジャンル比率として算出する。そして、ジャンル比率算出部３００は、プレイリストの各々について算出したジャンル比率を示すジャンル比率情報をプレイリスト選択画面生成部３２０に出力する。なお、ジャンル比率情報は、図２（ｄ）に示すように、プレイリストの名称を示すプレイリスト名、当該プレイリストに登録されている楽曲のジャンルおよび当該ジャンルの楽曲数の比率を情報として含む。
【００２５】
プレイリスト選択画面生成部３２０は、プレイリスト情報記憶部２２０に記憶されているプレイリスト情報に基づいて、プレイリスト情報記憶部２２０に設定された複数のプレイリストの中からユーザが所望のプレイリストを選択するためのプレイリスト選択画面を生成する。本実施形態では、プレイリスト選択画面生成部３２０は、ジャンル比率算出部３００から出力されたジャンル比率情報に基づいて、プレイリストの各々について、ジャンル毎の楽曲数の比率をグラフ表示した横棒グラフを生成し、当該生成した横棒グラフを含めてプレイリスト選択画面を生成する。プレイリスト選択画面表示制御部３４０は、プレイリスト選択画面生成部３２０により生成されたプレイリスト選択画面をディスプレイ１６０に表示する。
【００２６】
図３（ａ）は、本実施形態によるプレイリスト選択画面の表示例を示す図である。プレイリスト選択画面はタッチパネルとして構成されている。図３（ａ）のプレイリスト選択画面には、プレイリスト１、プレイリスト２、プレイリスト３のプレイリスト名で表される各プレイリストについて、ジャンル（「ＲＯＣＫ」、「ＰＯＰ」、「ＯＬＤＩＥＳ」および「ＯＴＨＥＲＳ」）毎の楽曲数の比率をそれぞれ横棒の長さで表示した横棒グラフ４００，４２０，４４０が表示されている。また、横棒グラフ４００，４２０，４４０の右方にそれぞれ全てボタン５００，５２０，５４０が表示されている。全てボタン５００，５２０，５４０は、それぞれ横棒グラフ４００，４２０，４４０に対応するプレイリストに登録されている楽曲をすべて順番に再生することを指示するためのボタンである。なお、図３（ａ）のプレイリスト選択画面では、プレイリスト１〜３にそれぞれ対応する横棒グラフ４００，４２０，４４０が、プレイリスト情報がプレイリスト情報記憶部２２０に記憶された順に上から表示されている。
【００２７】
図３（ａ）のプレイリスト選択画面にはさらに、楽曲のジャンル「ＲＯＣＫ」の凡例表示域６００、ジャンル「ＰＯＰ」の凡例表示域６２０、ジャンル「ＯＬＤＩＥＳ」の凡例表示域６４０、ジャンル「ＯＴＨＥＲＳ」の凡例表示域６６０が設けられている。
【００２８】
図３（ａ）のプレイリスト選択画面において、操作受付部２６０は、操作入力部１４０を介して、凡例表示域６００〜６６０の中から何れかの凡例表示域をタッチして選択する操作を受け付ける。この場合、操作受付部２６０は、受け付けた操作に応じて選択された凡例表示域に対応するジャンルを示す対象ジャンル情報をプレイリスト選択画面生成部３２０に出力する。プレイリスト選択画面生成部３２０は、操作受付部２６０から対象ジャンル情報が出力された場合、ジャンル比率算出部３００から出力されたジャンル比率情報に基づいて、当該対象ジャンル情報により示されるジャンルの楽曲数の比率が高い順番で、各プレイリストに対応する横棒グラフ４００〜４４０を並び替えたプレイリスト選択画面を生成する。そして、プレイリスト選択画面表示制御部３４０は、プレイリスト選択画面生成部３２０により生成されたプレイリスト選択画面をディスプレイ１６０に表示する。
【００２９】
図３（ｂ）は、図３（ａ）のプレイリスト選択画面がディスプレイ１６０に表示されている場合において、凡例表示域６００〜６６０の中からジャンル「ＯＬＤＩＥＳ」の凡例表示域６４０が選択された場合の表示例である。図３（ｂ）のプレイリスト選択画面では、選択された凡例表示域６４０に対応するジャンル「ＯＬＤＩＥＳ」の楽曲数の比率が高い順番で、プレイリスト１〜３にそれぞれ対応する横棒グラフ４００〜４４０が並び替えて表示されている。
【００３０】
また、図３のプレイリスト選択画面において、操作受付部２６０は、操作入力部１４０を介して、所望のプレイリストの中の所望のジャンルをスキャン再生を行う対象のジャンルとして選択する操作（図３の例では、所望のプレイリストに対応する横棒グラフを構成する複数のジャンルの横棒の中から、所望のジャンルの横棒をタッチする操作）を受け付ける。この場合、操作受付部２６０は、受け付けたタッチ操作に応じて選択されたプレイリストおよびジャンルを示す対象プレイリスト・ジャンル情報をスキャン再生制御部３６０に出力する。
【００３１】
スキャン再生制御部３６０は、操作受付部２６０から対象プレイリスト・ジャンル情報が出力された場合、プレイリスト情報記憶部２２０に記憶されているプレイリスト情報に基づいて、当該対象プレイリスト・ジャンル情報により示されるプレイリストに登録されている楽曲の中から、同じく対象プレイリスト・ジャンル情報により示されるジャンルの楽曲を特定する。そして、スキャン再生制御部３６０は、特定した楽曲の各々の先頭部分（例えば、頭の５秒間）を順番に再生する旨の指示を示すスキャン再生指示情報を再生制御部２４０に出力する。スキャン再生指示情報には、スキャン再生制御部３６０により特定された楽曲を示す楽曲特定情報が含まれている。
【００３２】
また、図３のプレイリスト選択画面において、操作受付部２６０は、操作入力部１４０を介して再生対象のプレイリストとして何れかのプレイリストを選択する操作（図３の例では、横棒グラフ４００〜４６０の右方に位置する全てボタン５００〜５４０のうち、再生を所望するプレイリストに対応する全てボタンをタッチする操作）を受け付ける。この場合、操作受付部２６０は、受け付けたタッチ操作に応じて選択された再生対象のプレイリストを示す対象プレイリスト情報を再生制御部２４０に出力する。
【００３３】
再生制御部２４０は、操作受付部２６０から対象プレイリスト情報が出力された場合、プレイリスト情報記憶部２２０に記憶されているプレイリスト情報に基づいて、当該対象プレイリスト情報により示されるプレイリストに登録されている楽曲を特定する。そして、再生制御部２４０は、特定した楽曲の音楽データを楽曲情報記憶部２００から読み出し、当該読み出した音楽データを順番にスピーカ１８０に出力する。これにより、再生対象の楽曲の音楽データに基づく音声がスピーカ１８０から出力される。
【００３４】
また、再生制御部２４０は、スキャン再生制御部３６０からスキャン再生指示情報が出力された場合、当該スキャン再生指示情報に含まれる楽曲特定情報により示される楽曲の音楽データを楽曲情報記憶部２００から読み出し、当該読み出した音楽データの各々の先頭部分（例えば、頭の５秒間）を順番にスピーカ１８０に出力する。これにより、スキャン再生対象の音楽データに基づく音声がスピーカ１８０から出力される。
【００３５】
次に、本実施形態の楽曲再生システム１２０の動作について説明する。図４は、本実施形態による楽曲再生システム１２０の動作例を示すフローチャートである。図４に示すフローチャートは、楽曲再生システム１２０の電源が投入されることにより開始する。
【００３６】
まず、操作受付部２６０は、操作入力部１４０を介して、プレイリスト選択機能の実行指示操作を受け付けたか否かについて判定する（ステップＳ１００）。もし、プレイリスト選択機能の実行指示操作を受け付けていないと操作受付部２６０にて判定した場合（ステップＳ１００にてＮＯ）、処理はステップＳ１００に遷移する。一方、プレイリスト選択機能の実行指示操作を受け付けたと操作受付部２６０にて判定した場合（ステップＳ１００にてＹＥＳ）、操作受付部２６０は、プレイリスト選択機能の実行指示操作を受け付けた旨を楽曲数算出部２８０に通知する。
【００３７】
次に、楽曲数算出部２８０は、プレイリスト選択機能の実行指示操作を受け付けた旨の通知を受けて、プレイリスト情報記憶部２２０に記憶されているプレイリスト情報に基づいて、ジャンル毎の楽曲数をプレイリストの各々について算出する（ステップＳ１２０）。そして、楽曲数算出部２８０は、プレイリストの各々について算出したジャンル毎の楽曲数を示す楽曲数情報をジャンル比率算出部３００に出力する。
【００３８】
次に、ジャンル比率算出部３００は、楽曲数算出部２８０から出力された楽曲数情報に基づいて、プレイリストの各々について、プレイリストに登録されている楽曲の全体数（全ジャンルの楽曲数）に対して占めるジャンル毎の楽曲数の比率をジャンル比率として算出する（ステップＳ１４０）。そして、ジャンル比率算出部３００は、プレイリストの各々について算出したジャンル比率を示すジャンル比率情報をプレイリスト選択画面生成部３２０に出力する。
【００３９】
次に、プレイリスト選択画面生成部３２０は、ジャンル比率算出部３００から出力されたジャンル比率情報に基づいて、プレイリストの各々について、ジャンル毎の楽曲数の比率をグラフ表示した横棒グラフを生成し、当該生成した横棒グラフを含めてプレイリスト選択画面を生成する（ステップＳ１６０）。次に、プレイリスト選択画面表示制御部３４０は、プレイリスト選択画面生成部３２０により生成されたプレイリスト選択画面をディスプレイ１６０に表示する（ステップＳ１８０）。
【００４０】
次に、操作受付部２６０は、操作入力部１４０を介して、プレイリスト選択画面に含まれている各プレイリストの中から、再生対象のプレイリストとして何れかのプレイリストを選択する操作を受け付けたか否かを判定する（ステップＳ２００）。もし、再生対象のプレイリストとして何れかのプレイリストを選択する操作を受け付けたと操作受付部２６０にて判定した場合（ステップＳ２００にてＹＥＳ）、操作受付部２６０は、受け付けた操作に応じて選択された再生対象のプレイリストを示す対象プレイリスト情報を再生制御部２４０に出力する。
【００４１】
最後に、再生制御部２４０は、プレイリスト情報記憶部２２０に記憶されているプレイリスト情報に基づいて、操作受付部２６０から出力された対象プレイリスト情報により示されるプレイリストに登録されている楽曲を特定する。そして、再生制御部２４０は、特定した楽曲の音楽データを楽曲情報記憶部２００から読み出し、当該読み出した音楽データを順番にスピーカ１８０に出力する（ステップＳ２２０）。ステップＳ２２０における処理が完了した後、楽曲再生システム１２０は図４における処理を終了する。
【００４２】
一方、再生対象のプレイリストとして何れかのプレイリストを選択する操作を受け付けていないと操作受付部２６０にて判定した場合（ステップＳ２００にてＮＯ）、操作受付部２６０は、操作入力部１４０を介して、スキャン再生を行う対象として何れかのプレイリストの何れかのジャンルを選択する操作を受け付けたか否かについて判定する（ステップＳ２４０）。
【００４３】
もし、スキャン再生を行う対象のプレイリストおよびジャンルを選択する操作を受け付けたと判定した場合（ステップＳ２４０にてＹＥＳ）、操作受付部２６０は、受け付けた操作に応じて選択されたプレイリストおよびジャンルを示す対象プレイリスト・ジャンル情報をスキャン再生制御部３６０に出力する。次に、スキャン再生制御部３６０は、プレイリスト情報記憶部２２０に記憶されているプレイリスト情報に基づいて、操作受付部２６０から出力された対象プレイリスト・ジャンル情報により示されるプレイリストに登録されている楽曲の中から、同じく対象プレイリスト・ジャンル情報により示されるジャンルの楽曲を特定する（ステップＳ２６０）。そして、スキャン再生制御部３６０は、特定した楽曲の各々の先頭部分を順番に再生する旨の指示を示すスキャン再生指示情報（特定した楽曲を示す楽曲特定情報を含む）を再生制御部２４０に出力する。
【００４４】
次に、再生制御部２４０は、スキャン再生制御部３６０から出力された指示情報に含まれる楽曲特定情報により示される楽曲の音楽データを楽曲情報記憶部２００から読み出し、当該読み出した音楽データの各々の先頭部分（例えば、頭の５秒間）を順番にスピーカ１８０に出力する（ステップＳ２８０）。その後、処理はステップＳ２００に遷移する。
【００４５】
もし、スキャン再生を行う対象のプレイリストおよびジャンルを選択する操作を受け付けていないと判定した場合（ステップＳ２４０にてＮＯ）、操作受付部２６０は、操作入力部１４０を介して、プレイリスト選択画面に含まれている凡例表示域６００〜６６０の中から何れかの凡例表示域を選択する操作を受け付けたか否かについて判定する（ステップＳ３００）。もし、何れかの凡例表示域を選択する操作を受け付けていないと操作受付部２６０にて判定した場合（ステップＳ３００にてＮＯ）、処理はステップＳ２００に遷移する。
【００４６】
一方、何れかの凡例表示域を選択する操作を受け付けたと操作受付部２６０にて判定した場合（ステップＳ３００にてＹＥＳ）、操作受付部２６０は、受け付けた操作に応じて選択された凡例表示域に対応するジャンルを示す対象ジャンル情報をプレイリスト選択画面生成部３２０に出力する。次に、プレイリスト選択画面生成部３２０は、ジャンル比率算出部３００から出力されたジャンル比率情報により示されるジャンルの楽曲数の比率が高い順番で、各プレイリストに対応する横棒グラフを並び替えたプレイリスト選択画面を生成する（ステップＳ３２０）。次に、プレイリスト選択画面表示制御部３４０は、プレイリスト選択画面生成部３２０により生成されたプレイリスト選択画面をディスプレイ１６０に表示する（ステップＳ３４０）。その後、処理はステップＳ２００に遷移する。
【００４７】
以上詳しく説明したように、本実施形態では、プレイリスト選択画面において、各プレイリストに登録されている楽曲の当該各プレイリスト内での全体数に対して占めるジャンル毎の楽曲数の比率をジャンル比率として算出し、当該算出したジャンル比率を横棒グラフ４００〜４４０として表示するようにしている。このように構成した本実施形態によれば、ユーザは、各ジャンルの楽曲がそれぞれプレイリスト全体の中でどの程度の割合を占めているかを視覚的に捉えることができ、各プレイリストにどのような楽曲が登録されているのかを画面表示から一見して直感的に把握することができる。
【００４８】
また、本実施形態では、プレイリスト選択画面において、何れかのジャンル（凡例表示域）が選択された場合、当該選択されたジャンルの楽曲数の比率が高い順番で、各プレイリストのジャンル比率に対応する横棒グラフを並び替えて表示するようにしている。このように構成した本実施形態によれば、ユーザは、ある特定のジャンルの楽曲が多く登録されているプレイリストを選択したい場合、各プレイリストのジャンル比率に対応する横棒グラフを一つずつ見て確認することなく、当該特定のジャンルの楽曲数の比率が高いプレイリストがどれなのかを一目で把握することができる。
【００４９】
また、本実施形態では、スキャン再生を行う対象のプレイリストおよびジャンルを選択する操作を受け付けた場合、当該プレイリストおよびジャンルで特定される楽曲の各々の先頭部分を順番にスキャン再生するようにしている。このように構成した本実施形態によれば、ユーザは、プレイリストに登録されている楽曲の一部を実際に聴いて事前に確認をすることができるため、プレイリストを誤って選択してしまうことにより後でプレイリストを選択し直す手間が生じる可能性を回避することができる。
【００５０】
なお、本実施形態では、操作入力部１４０を介して選択されたジャンル（凡例表示域）の楽曲数の比率が高い順番で、各プレイリストのジャンル比率に対応する横棒グラフを並び替える例について説明したが、当該並び替える処理は必ずしも必須ではない。ただし、各プレイリストのジャンル比率に対応する横棒グラフを並び替える処理を行う方が、ユーザがある特定のジャンルの楽曲が多く登録されているプレイリストを選択したい場合、当該特定のジャンルの楽曲数の比率が高いプレイリストがどれなのかを一目で把握することができるようになるため好ましい。
【００５１】
また、本実施形態では、操作入力部１４０を介して選択されたプレイリストおよびジャンルで特定される楽曲をスキャン再生する例について説明したが、当該スキャン再生処理は必ずしも必須ではない。ただし、スキャン再生処理を行う方が、ユーザがプレイリストを誤って選択してしまうことにより後でプレイリストを選択し直す手間が生じる可能性を回避することができるようになるため好ましい。
【００５２】
また、本実施形態では、操作入力部１４０を介して選択されたプレイリストおよびジャンルで特定される楽曲をスキャン再生する例について説明したが、スキャン再生の対象はこれに限定されない。例えば、操作入力部１４０を介して選択されたプレイリストに登録されている全ての楽曲を対象にしてスキャン再生するようにしても良い。このように構成すれば、ユーザは、プレイリストに登録されている全ての楽曲の一部を実際に聴いて事前に確認をすることができるため、プレイリストを誤って選択してしまうことにより後でプレイリストを選択し直す手間が生じる可能性を回避することができる。
【００５３】
また、本実施形態では、各プレイリストのジャンル比率を横棒グラフとして表示する例について説明したが、当該ジャンル比率の表示態様はこれに限定されない。例えば、各プレイリストのジャンル比率を縦棒グラフ、円グラフまたはレーダーチャートとして表示するようにしても良い。また、図３に示したような４つのジャンル毎の楽曲数の比率ではなく、３つ以下または５つ以上のジャンル毎の楽曲数の比率をグラフ表示するようにしても良い。
【００５４】
また、本実施形態では、楽曲を再生順にリスト化したプレイリストの内容に従って楽曲を再生する楽曲再生システム１２０にプレイリスト選択支援装置１００を実施する例について説明したが、本発明はこれに限定されない。例えば、動画を再生順にリスト化したプレイリストの内容に従って動画を再生する動画再生システムにプレイリスト選択支援装置１００を実施するようにしても良い。また、ユーザが、コンピュータ内の所望のフォルダを選択して、当該フォルダに登録されているコンテンツとしてのファイル（例えば、プログラムファイルやテキストファイルなど）を実行させるファイル実行システムにプレイリスト選択支援装置１００を実施するようにしても良い。
【００５５】
また、プレイリスト選択支援装置１００を実施する楽曲再生システム１２０の全体構成は、図１に示す構成に限定されない。例えば、プレイリスト選択支援装置１００を含む車両用ヘッドユニットが、外部の楽曲再生装置から楽曲情報およびプレイリスト情報を読み出してプレイリスト選択画面を表示する処理を行うように構成しても良い。図５は、楽曲再生システム１２０の変形例として楽曲再生システム１２０′の全体構成例を示すブロック図である。図５に示すように、楽曲再生システム１２０′は、楽曲再生装置７００、プレイリスト選択支援装置１００および再生制御部７４０を含む車両用ヘッドユニット７２０を備えて構成されている。
【００５６】
楽曲再生装置７００は、図１の楽曲情報記憶部２００、プレイリスト情報記憶部２２０および再生制御部２４０を備えている。楽曲再生装置７００は、単独でも使えるし、車両用ヘッドユニット７２０につないで使うこともできる。単独で使う場合、楽曲再生装置７００は、楽曲情報記憶部２００に記憶されている楽曲情報を用いて、ユーザが選んだプレイリストに属する楽曲の音楽データを再生制御部２４０の制御により再生することができるようになっている。
【００５７】
車両用ヘッドユニット７２０につないで使う場合、車両用ヘッドユニット７２０に含まれるプレイリスト選択支援装置１００は、楽曲再生装置７００のプレイリスト情報記憶部２２０からプレイリスト情報を読み出し、当該読み出したプレイリスト情報に基づいて、各プレイリストのジャンル比率を算出する。そして、プレイリスト選択支援装置１００は、各プレイリストについて算出したジャンル比率を横棒グラフとして表示したプレイリスト選択画面を生成し、当該生成したプレイリスト選択画面をディスプレイ（図示せず）に表示するように制御する。そして、車両用ヘッドユニット７２０は、ユーザが選んだプレイリストに属する楽曲の音楽データを楽曲再生装置７００から取得し、当該取得した音楽データを再生制御部７４０の制御により再生する。
【００５８】
その他、本実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００５９】
１００  プレイリスト選択支援装置（コンテンツリスト選択支援装置）
２６０  操作受付部（コンテンツ属性選択受付部）
２８０  楽曲数算出部（コンテンツ数算出部）
３００  ジャンル比率算出部（コンテンツ属性比率算出部）
３２０  プレイリスト選択画面生成部（表示制御部）
３４０  プレイリスト選択画面表示制御部（表示制御部）
３６０  スキャン再生制御部
【図１】
2010282711.tif 000003
【図２】
2010282711.tif 000004
【図３】
2010282711.tif 000005
【図４】
2010282711.tif 000006
【図５】
2010282711.tif 000007
【図６】
2010282711.tif 000008